(57)【要約】【課題】スリムで、均一な輝度の映像を表示することのできる表示装置を提供する。【解決手段】表示装置は光源、鏡面反射ガイド部材、拡散反射部材、及び表示パネルを含む。第１方向に延長される光源は光を生成する。鏡面反射ガイド部材は光源を支持し、光源の少なくとも一部を第１方向に対して実質的に垂直な第２方向にガイドする。鏡面反射ガイド部材は第２方向に延長され第１方向に配列される複数のガイドパターンを含む。拡散反射部材は光源の少なくとも一部を第１及び第２方向に対して実質的に垂直な第３方向にガイドする。表示パネルは鏡面反射ガイド部材と拡散反射部材との上に配置され、拡散反射部材によってガイドされた光を用いて映像を生成する。【選択図】図１
2014106526.tif 000002
【特許請求の範囲】
【請求項１】
光を生成し、第１方向に延長される光源と、
前記光源から発せられる光をガイドする光学部材と、
前記光学部材の上側に配置され、前記光源から発せられる光に基づいて映像を生成する表示パネルとを含み、
前記光学部材は、前記光源に隣接して配置され、前記光源から生成される光を前記第１方向に対して実質的に直交する第２方向にガイドする鏡面反射領域と、
前記鏡面反射領域から前記第２方向に離隔されて配置され、前記光源から生成される光を前記表示パネルにガイドする拡散反射領域と、
前記鏡面反射領域と前記拡散反射領域との間に配置され、複数の鏡面反射パターンと複数の拡散反射パターンとを具備さする境界領域と、を含むことを特徴とする表示装置。
【請求項２】
前記複数の鏡面反射パターンの幅は、前記第２方向に行くほど減少することを特徴とする請求項１に記載の表示装置。
【請求項３】
前記光学部材は、前記鏡面反射領域、前記境界領域および前記拡散反射領域に配置されるベース部材と、
一部が前記ベース部材の鏡面反射領域に配置され、他の部分が前記ベース部材の境界領域に配置されて前記複数の鏡面反射パターンをなす鏡面反射部材と、
一部が前記ベース部材の拡散反射領域に配置され、他の部分が前記ベース部材の境界領域に配置されて前記複数の拡散反射パターンをなす拡散反射部材と、を含むことを特徴とする請求項２に記載の表示装置。
【請求項４】
前記光学部材は、前記鏡面反射領域、前記境界領域および前記拡散反射領域に配置され、拡散反射物質を含むベース部材と、
一部が前記ベース部材の鏡面反射領域に配置され、他の部分が前記ベース部材の境界領域に配置されて前記複数の鏡面反射パターンをなす鏡面反射部材と、を含み、
前記境界領域で露出される前記ベース部材の一部は、前記複数の拡散反射パターンをなすことを特徴とする請求項２に記載の表示装置。
【請求項５】
前記光学部材は、前記境界領域および前記拡散反射領域に配置され、拡散反射物質を含む拡散反射部材と、
一部が前記鏡面反射領域に配置され、他の部分が前記境界領域の拡散反射部材に重なるように配置されて前記複数の鏡面反射パターンをなす鏡面反射部材と、を含み、
前記境界領域で露出される前記拡散反射部材の一部は、前記複数の拡散反射パターンをなすことを特徴とする請求項２に記載の表示装置。
【請求項６】
前記光学部材は、前記鏡面反射領域および前記境界領域に配置され、鏡面反射物質を含む鏡面反射部材と、
一部が前記拡散反射領域に配置され、他の部分が前記境界領域の鏡面反射部材に重なるように配置されて前記複数の拡散反射パターンをなす拡散反射部材と、を含み、
前記境界領域で露出される前記鏡面反射部材の一部は、前記複数の鏡面反射パターンをなすことを特徴とする請求項２に記載の表示装置。
【請求項７】
前記光学部材は前記境界領域で屈曲し、前記光学部材の鏡面反射領域と前記表示パネルとの間の間隔は前記第２方向に行くほど増加し、前記光学部材の拡散反射領域と前記表示パネルとの間の間隔は前記第２方向に行くほど減少することを特徴とする請求項２に記載の表示装置。
【請求項８】
前記光源は、前記第１方向に延長される回路基板と、
前記回路基板に配置され、前記第１方向に配列される複数の発光素子と、を含むことを特徴とする請求項７に記載の表示装置。
【請求項９】
前記光源を固定させ、少なくとも前記光学部材の鏡面反射領域を支えるガイド部材をさらに含むことを特徴とする請求項８に記載の表示装置。
【請求項１０】
光を生成し、第１方向に延長される光源と、
前記光源を固定し、前記光源から生成される光を前記第１方向に対して実質的に直交する第２方向にガイドする鏡面反射ガイド部材と、
一部が前記鏡面反射ガイド部材の一部に重なり、前記光源から伝達される光を前記第１方向及び前記第２方向に対して実質的に垂直な第３方向にガイドする拡散反射部材と、
前記鏡面反射ガイド部材および前記拡散反射部材の上側に配置され、前記拡散反射部材から伝達される光に基づいて映像を生成する表示パネルと、を含み、
前記重なる鏡面反射ガイド部材の一部と前記拡散反射部材の一部とのうちの何れか一つは複数の切開パターンを含むことを特徴とする表示装置。
【請求項１１】
前記鏡面反射ガイド部材の一部は前記複数の切開パターンを含み、前記複数の切開パターンの幅は前記第２方向に行くほど減少することを特徴とする請求項１０に記載の表示装置。
【請求項１２】
前記拡散反射部材の一部は前記複数の切開パターンを含み、前記複数の切開パターンの幅は前記第２方向に行くほど増加することを特徴とする請求項１０に記載の表示装置。
【請求項１３】
前記鏡面反射ガイド部材は、
前記光源が付着されるボディ部と、
前記ボディ部に連結され、前記第２方向に行くほど前記表示パネルとの間隔が増加し、前記鏡面反射ガイド部材の一部を含む第１反射部と、を有することを特徴とする請求項１０に記載の表示装置。
【請求項１４】
光を生成し、第１方向に延長される光源と、
前記光源を固定し、前記光源から生成される光を前記第１方向に対して実質的に直交する第２方向にガイドし、前記第２方向に延長されて前記第１方向に配列される複数のガイドパターンを含む鏡面反射ガイド部材と、
前記光源から伝達される光を前記第１方向及び前記第２方向に対して実質的に垂直な第３方向にガイドする拡散反射部材と、
前記鏡面反射ガイド部材および前記拡散反射部材の上側に配置され、前記拡散反射部材から伝達される光に基づいて映像を生成する表示パネルと、を含むことを特徴とする表示装置。
【請求項１５】
前記鏡面反射ガイド部材は、
前記光源が付着されるボディ部と、
前記ボディ部に連結され、前記第２方向に行くほど前記表示パネルとの間隔が増加し、前記複数のガイドパターンのうち少なくとも一部が配置される第１反射部を含むことを特徴とする請求項１４に記載の表示装置。
【請求項１６】
前記鏡面反射ガイド部材は前記ボディ部に連結され、前記第１反射部から前記第３方向に離隔されて配置される第２反射部をさらに含むことを特徴とする請求項１５に記載の表示装置。
【請求項１７】
前記第１反射部の反射面および前記第２反射部の反射面は、前記光源を長軸線上に配置する長軸線を有する仮想上の楕円形状であり、前記長軸線は前記楕円の焦点の延長線であることを特徴とする請求項１６に記載の表示装置。
【請求項１８】
前記鏡面反射ガイド部材と前記拡散反射部材を収容する下部保護部材と、
前記下部保護部材の上に配置され、前記表示パネルを支える中間保護部材と、
前記中間保護部材の上に配置され、前記表示パネルの縁の領域をカバーする上部保護部材と、をさらに含むことを特徴とする請求項１５に記載の表示装置。
【請求項１９】
前記中間保護部材の一部は、前記第１反射部から前記第３方向に離隔されて前記光源をカバーし、
前記中間保護部材の一部は、前記光源から生成される光を前記第２方向にガイドする反射面を有することを特徴とする請求項１８に記載の表示装置。
【請求項２０】
光を出射する光源と、
前記光をガイドする光学部材と、
前記光学部材の上に配置され、前記光源部材から前記ガイドされる光によって映像を表示する表示パネルと、を含み、
前記光学部材は、
前記光源に隣接し前記光源から生成される光のうち少なくとも一部をガイドする鏡面反射領域と、
前記鏡面反射領域から離隔して配置され、前記光源から生成される光のうち少なくとも一部を前記表示パネルに供給する拡散反射領域と、
前記鏡面反射領域と前記拡散反射領域との間に配置され、複数の拡散反射パターンを有する境界領域と、を含むことを特徴とする表示装置。
【発明の詳細な説明】
【技術分野】
【０００１】
本発明は表示装置に関し、特に表示品質が向上した表示装置に関する。
【背景技術】
【０００２】
一般に、表示装置は透過型、非透過型または反射型などに分類される。透過型および非透過型の表示装置は、映像を表示する表示パネルおよび表示パネルに光を供給するバックライトユニットを含む。
【０００３】
従来のバックライトユニットは一般に光を生成する光源と導光体とを含む。光源は回路基板およびその回路基板に配置される（例えば形成され、又は実装されるなどして）複数の発光素子を含んでもよい。導光体は表示パネルの下側に配置される。光源は導光体の一面と向い合うように構成される。この場合、導光体は光源から発せられる光を表示パネルの方向にガイドするように構成されてもよい。表示装置がより薄くなるにつれて、均一な輝度を有して均一な表示品質を有する表示装置を提供することがより難しくなっている。そこで、改善された均一な輝度を有するスリムな表示装置を効果的に低コストで供給するための技術が要求される。
【先行技術文献】
【特許文献】
【０００４】
【特許文献１】韓国公開特許第１０−２０１２−００２６６９１号公報
【発明の概要】
【発明が解決しようとする課題】
【０００５】
本発明は、スリムで（例えば厚さに関して）、均一な輝度の映像を表示することができる表示装置を提供することを目的とする。
【課題を解決するための手段】
【０００６】
本発明の一実施形態にかかる表示装置は、光源、光学部材および表示パネルを含む。光源は光を生成し、第１方向に伸びる。光学部材は光源から発せられる光をガイドする。表示パネルは光学部材の上側に配置され、光源から発せられる光に基づいて映像を生成する。
【０００７】
光学部材は鏡面反射領域、拡散反射領域および境界領域を含む。鏡面反射領域は光源に隣接して配置され、光源から生成される光を第１方向に対して実質的に直交する第２方向にガイドする。拡散反射領域は鏡面反射領域から第２方向に離隔されて配置され、光源から生成される光を表示パネルにガイドする。境界領域は鏡面反射領域と拡散反射領域との間に配置され、複数の鏡面反射パターンと複数の拡散反射パターンとを備える。
【０００８】
本発明の一実施形態にかかる表示装置は、光源、表示パネル、鏡面反射ガイド部材および拡散反射部材を含む。鏡面反射ガイド部材は光源を固定し、光源から生成される光を第１方向に対して実質的に直交する第２方向にガイドする。
【０００９】
拡散反射部材は、光源から発せられる光を第１方向及び第２方向に対して実質的に直交する第３方向にガイドする。拡散反射部材は、光源から伝達される光を第１方向と第２方向とが形成する面の法線方向にガイドする。
【００１０】
拡散反射部材の一部は鏡面反射ガイド部材の一部に重なって配置される。
【００１１】
重なる鏡面反射ガイド部材の一部と拡散反射部材の一部のうち、上側に配置される何れか一つは、複数の切開パターンを含む。
【００１２】
本発明の一実施形態にかかる表示装置は、光源、表示パネル、鏡面反射ガイド部材および拡散反射部材を含む。光源は光を生成し、第１方向に伸びる。鏡面反射ガイド部材は光源を固定し、光源から生成される光を第１方向に対して実質的に直交する第２方向にガイドする。また、鏡面反射ガイド部材は第２方向に延長され、第１方向に配列される複数のガイドパターンを含む。拡散反射部材は、光源から発せられる光を第１方向及び第２方向に対して実質的に直交する第３方向にガイドする。表示パネルは、鏡面反射ガイド部材及び拡散反射部材の上側に配置され、拡散反射部材によってガイドされた光を用いて映像を表示するように構成される。
【発明の効果】
【００１３】
上述したように、本発明にかかる表示装置は導光体を具備しない。本発明にかかる光学部材は導光体に代替することができる。
【００１４】
境界領域に配置される複数の鏡面反射パターンは光源から生成される光を第２方向にガイドし、境界領域に配置される複数の拡散反射パターンは光源から生成される光を表示パネルにガイドする。それによって、第２方向にガイドされる光量が確保されると共に、鏡面反射領域および境界領域から表示パネルに供給される光量が増える。即ち、光学部材は領域に関係なく表示パネルに均一な光を供給する。
【００１５】
導光体は鏡面反射ガイド部材と拡散反射部材によって代替される。鏡面反射ガイド部材の一部と拡散反射部材の一部は重なる。鏡面反射ガイド部材および拡散反射部材のうち何れか一つは重なる部分において切開パターンなどを備える。
【００１６】
切開パターンなどは第２方向にガイドされる光量と鏡面反射ガイド部材に重なる表示パネルの一部に供給される光量とを増加させる。本発明の実施形態にかかる表示装置によれば、表示パネルの領域で受領する光量の偏差が減少する。
【００１７】
鏡面反射ガイド部材に具備される複数のガイドパターンは、鏡面反射ガイド部材によって反射される光の直進性を向上させる。複数のガイドパターンは狭い面積でも第２方向に供給される光量を増加させる。また、鏡面反射ガイド部材に入射した光のうち一部は表示パネルに向かって出射する。本発明の実施形態にかかる表示装置によれば、表示パネルの領域で受領される光量の偏差が減少する。
【図面の簡単な説明】
【００１８】
【図１】本発明の一実施形態にかかる表示装置の分解斜視図である。
【図２】図１に示した表示装置の第２方向ＤＹにおける断面図である。
【図３】図１に示した光学部材の平面図である。
【図４】光学部材によって表示パネルに供給される光の輝度を示したグラフである。
【図５Ａ】本発明の一実施形態にかかる表示装置における光学部材の断面図である。
【図５Ｂ】本発明の一実施形態にかかる表示装置における光学部材の断面図である。
【図６Ａ】本発明の一実施形態にかかる表示装置における光学部材の断面図である。
【図６Ｂ】本発明の一実施形態にかかる表示装置における光学部材の断面図である。
【図７Ａ】本発明の一実施形態にかかる表示装置における光学部材の平面図である。
【図７Ｂ】本発明の一実施形態にかかる表示装置における光学部材の平面図である。
【図７Ｃ】本発明の一実施形態にかかる表示装置における光学部材の平面図である。
【図７Ｄ】本発明の一実施形態にかかる表示装置における光学部材の平面図である。
【図７Ｅ】本発明の一実施形態にかかる表示装置における光学部材の平面図である。
【図７Ｆ】本発明の一実施形態にかかる表示装置における光学部材の平面図である。
【図８Ａ】本発明の一実施形態にかかる表示装置における光学部材の分解斜視図である。
【図８Ｂ】本発明の一実施形態にかかる表示装置における光学部材の側面図である。
【図９Ａ】図８Ａに示した拡散反射部材の他の実施形態における平面図である。
【図９Ｂ】図８Ａに示した拡散反射部材の他の実施形態における平面図である。
【図９Ｃ】図８Ｂに示した拡散反射部材の他の実施形態における平面図である。
【図９Ｄ】図８Ｂに示した拡散反射部材の他の実施形態における平面図である。
【図１０Ａ】本発明の一実施形態にかかる表示装置における光学部材の分解斜視図である。
【図１０Ｂ】本発明の一実施形態にかかる表示装置における光学部材の側面図である。
【図１１】本発明の一実施形態にかかる表示装置の一部を示した斜視図である。
【図１２】図１１に示した表示装置の一部の側面図である。
【図１３】本発明の一実施形態にかかる表示装置の一部を示した斜視図である。
【図１４】本発明の一実施形態にかかる表示装置の一部を示した斜視図である。
【図１５】本発明の一実施形態にかかる表示装置における鏡面反射ガイド部材の一部に対応する断面図である。
【図１６】本発明の一実施形態にかかる表示装置における鏡面反射ガイド部材によってガイドされる光の経路を示した図である。
【図１７】本発明の一実施形態にかかる表示装置における鏡面反射ガイド部材によってガイドされる光の経路を示した図である。
【図１８】ガイドパターンを具備しない鏡面反射ガイド部材によって反射される光を示した図である。
【図１９】第１反射部にガイドパターンが具備された鏡面反射ガイド部材によって反射される光を示した図である。
【図２０】第２反射部にガイドパターンが具備された鏡面反射ガイド部材によって反射される光を示した図である。
【図２１】第１反射部および第２反射部にガイドパターンが具備された鏡面反射ガイド部材によって反射される光を示した図である。
【図２２】鏡面反射ガイド部材によって表示パネルに提供される光の輝度を示したグラフである。
【図２３Ａ】本発明の他の実施形態にかかる表示装置における鏡面反射ガイド部材の一部に対応する断面図である。
【図２３Ｂ】本発明の他の実施形態にかかる表示装置における鏡面反射ガイド部材の一部に対応する断面図である。
【図２４】本発明の一実施形態にかかる表示装置の一部を示した断面図である。
【発明を実施するための形態】
【００１９】
以下、添付した図面を参照して本発明の好ましい実施形態をより詳しく説明する。
【００２０】
本発明は様々に変更できるものであるが、特定の実施形態などを図面に例示して、明細書で詳しく説明する。しかし、これは本発明を限定するものではなく、本発明の本旨および技術的範囲に含まれる全ての変更、均等物及び代替物を含む。
【００２１】
各図面の類似する構成要素については同じまたは類似する符号を付けて説明する。
【００２２】
添付した図面において、層、フィルム、パネル、領域などの構造物などの寸法又は相対的な寸法は本発明の明確性のために実際より拡大して示した。
【００２３】
ある要素又は層が他の要素又は層に対して「上に」、「接続して」又は「連結して」のように記載される場合、それはある要素又は層が、直接他の要素又は層の上に、直接接続して、又は直接連結していてもよく、又は介在する要素又は層が存在してもよい。しかし、ある要素又は層が他の要素又は層に対して「直接上に」、「直接接続して」、「直接連結して」のように記載される場合、ある要素又は層と他の要素又は層との間に介在物は存在しない。発明を開示するため、「Ｘ、Ｙ及びＺのうち少なくとも１つ」及び「Ｘ、Ｙ及びＺからなるグループから選ばれる少なくとも１つ」とは、Ｘのみ、Ｙのみ、Ｚのみ、又はＸ、Ｙ及びＺのうち２つ以上の他の組み合わせ、例えばＸＹＺ、ＸＹＹ、ＹＺ、及びＺＺなどを含む。以下において「及び／又は」という用語は、言及されている要素すべての組み合わせを含む。
【００２４】
第１、第２などの用語は、以下では様々な要素、構成物、領域、層、及び／又は区画を説明するために用いられるが、これらの用語によって制限されるものではない。これらの用語はある要素、構成物、領域、層、及び／又は区画を他の要素、構成物、領域、層、及び／又は区画特別するために用いられる。以下で第１の要素、構成物、領域、層、及び／又は区画と記載されているものは、本発明の開示のための説明を別にすれば、第２の要素、構成物、領域、層、及び／又は区画であってもよい。
【００２５】
「の下に」「の上に」及び／又はこれらに類似する空間に関する用語がある要素又は構造の関係を説明するために以下で用いられることがある。空間に関する用語は、図面に記載されている方向のみならず、使用され又は動作するときの装置の異なる方向を含む。例えば、図面に記載されている装置がひっくり返された場合、他の要素の「下に」「下」と記載された要素は、他の要素の「上に」なる。したがって、例えば「下に」という用語は上と下の両方の方向を含む。さらに、装置が他の方向に向けられた場合（例えば９０度回転されたり他の方向に向けられたりする場合）、当該空間に関する用語はその方向に応じて解釈される。
【００２６】
以下で用いられる技術は特定の実施例を説明するためのものであって、当該技術に制限されない。以下において、文脈上明確に限定されない限り、単数形の用語は複数形を含む。さらに、本明細書で「を含む」という用語が用いられる場合、言及された特徴、数値、工程、動作、要素、及び／又は構成要素の存在を規定するものであって、一つ又は複数の特徴、数値、工程、動作、要素、構成要素、及び／又はこれらのグループの存在又は追加を除外するものではない。
【００２７】
以下では理想的な実施例及び／又は中間体構造の概略を示す部分的な図面を参照して様々な実施例が記載される。したがって、図面は様々な形式を有し、例えば製造技術及び／又は許容誤差を含む。よって、以下で開示される実施例において領域の形状は特定の図示された形状に限定されるものではなく、例えば製造工程によって生じる形状の偏差などを含む。例えば、図面において四角形で表示される埋め込まれた領域は、典型的には、埋め込まれた領域とそうでない領域とが二元的に区別されるのではなく、その角部において丸みを帯び又は屈曲した特徴及び／又は埋め込まれた構造物が傾斜を有することがある。同様に、埋め込まれて形成された埋設領域において、埋め込まれた領域と埋め込みが行われた表面との間の領域にある程度の埋め込みが生じる場合がある。このように、図面に示した領域は概略的なものであり、それらの形状は図示された当該形状に限定されるものではない。
【００２８】
特に明記されてない限り、以下で用いられるすべての用語（技術的又は科学的な用語を含む）は本明細書が開示する技術分野における当業者が一般的に理解するような意味で用いられる。特に明記されていない限り、一般的な辞書で定義される用語は、背景技術に関する文脈を考慮して解釈されなければならず、理想的に又は過度に形式的な意味に解釈されてはならない。
【００２９】
本実施形態は、例えば様々な非発光型表示技術のような、すべての適合的な表示装置において工業的に利用可能である。例えば、非発光型表示装置は、液晶表示（ｌｉｑｕｉｄ  ｃｒｙｓｔａｌ  ｄｉｓｐｌａｙ）装置、電気泳動表示（ｅｌｅｃｔｒｏ  ｐｈｏｒｅｔｉｃ  ｄｉｓｐｌａｙ）装置または電気湿潤表示（ｅｌｅｃｔｒｏ  ｗｅｔｔｉｎｇ  ｄｉｓｐｌａｙ）装置及び／又は類似の装置を含む。
【００３０】
図１は本発明の一実施形態にかかる表示装置の分解斜視図である。図２は図１に示した表示装置の断面図である。図３は図１に示した光学部材の平面図である。
【００３１】
図１および図２に示したように、表示装置は保護部材１００Ｕ、１００Ｍ、１００Ｌ、表示パネル２００、光学シート３００、ガイド部材４００、光源５００および光学部材６００を含む。ただし、表示装置は様々な形態で実施されてもよく、複合的な及び／又は代替的な部材及び形状を含む。一方、本実施形態にかかる表示装置において、保護部材１００Ｕ、１００Ｍ、１００Ｌのうちの一部、光学シート３００およびガイド部材４００は省略されてもよい。
【００３２】
表示パネル２００は平面上は矩形であるが、他の適切な形状が用いられてもよい以下、表示パネル２００の長辺方向を第１方向ＤＸと定義し、表示パネルの短辺方向を第２方向ＤＹと定義する。また、表示パネルが形成する平面の法線方向を第３方向ＤＺと定義する。
【００３３】
保護部材１００Ｕ、１００Ｍ、１００Ｌは、互いに結合される上部保護部材１００Ｕ、下部保護部材１００Ｌおよび上部保護部材１００Ｕと下部保護部材１００Ｌとの間に配置される中間保護部材１００Ｍを含む。上部保護部材１００Ｕと下部保護部材１００Ｌとは、他の構成要素を収容し、収容された構成要素を保護する。
【００３４】
上部保護部材１００Ｕは表示パネル２００の上側に配置される。上部保護部材１００Ｕは表示パネル２００の一部領域、例えば、映像が表示される表示領域ＤＡを露出させる開口部１００Ｕ−ＯＰを具備する。上部保護部材１００Ｕは表示パネル２００の非表示領域ＮＤＡに重なるように配置される。非表示領域ＮＤＡは表示パネル２００の縁部であり、映像が表示されない領域である。
【００３５】
下部保護部材１００Ｌはガイド部材４００、光学部材６００を収容する。また、下部保護部材１００Ｌは光学シート３００の一部を支持する。下部保護部材１００Ｌは底部１００Ｌ−Ｂおよび底部１００Ｌ−Ｂから上側に屈曲する側壁部１００Ｌ−Ｗを含む。
【００３６】
底部１００Ｌ−Ｂは平面上は矩形であるが、底部１００Ｌ−Ｂは表示装置の幾何学的形状に基づいて形成されてもよい。側壁部１００Ｌ−Ｗは底部１００Ｌ−Ｂの四つの辺から第３方向ＤＺに屈曲する。側壁部１００Ｌ−Ｗは、例えば底部１００Ｌ−Ｂの四つの辺に対応して四つの部分に分けられる。しかし、底部１００Ｌ−Ｂの形状に応じて、第３方向ＤＺに伸びる側壁部の数はより少なくてもよく、またはより多くてもよい。一方、底部１００Ｌ−Ｂの四つの部分のうちの一部は省略されてもよい。
【００３７】
また、底部１００Ｌ−Ｂは第２方向ＤＹに連続する平面部１００Ｌ−Ｂ１と傾斜部１００Ｌ−Ｂ２とに区分される。傾斜部１００Ｌ−Ｂ２は平面部１００Ｌ−Ｂ１と所定の角度θ１をなして屈曲する。一方、底部１００Ｌ−Ｂは平面と当該平面に対する傾斜面を提供できれば十分であり、その形状は様々に変更されてもよい。
【００３８】
中間保護部材１００Ｍは表示パネル２００の非表示領域ＮＤＡを支持する。中間保護部材１００Ｍは衝撃及び／又はその他の環境的影響力を吸収でき、製造が容易であるプラスチックからなる。ただし、他の適切な物質が用いられてもよい。また、中間保護部材１００Ｍは矩形のフレームからなる。中間保護部材１００Ｍの内側には開口部１００Ｍ−ＯＰが形成される。一方、中間保護部材１００Ｍは省略されてもよく、この場合表示パネル２００は下部保護部材１００Ｌによって支えられる。
【００３９】
実施例において、表示パネル２００は映像を生成する。表示パネル２００は透過型または非透過型の表示パネルであってもよい。例えば、表示パネル２００は液晶表示パネル（ｌｉｑｕｉｄ  ｃｒｙｓｔａｌ  ｄｉｓｐｌａｙ  ｐａｎｅｌ）、電気泳動表示パネル（ｅｌｅｃｔｒｏ  ｐｈｏｒｅｔｉｃ  ｄｉｓｐｌａｙ  ｐａｎｅｌ）または電気湿潤表示パネル（ｅｌｅｃｔｒｏ  ｗｅｔｔｉｎｇ  ｄｉｓｐｌａｙ  ｐａｎｅｌ）であってもよく、これらに限定されるものではない。説明のため、実施例において表示パネルは液晶表示パネルとして記載した。本発明の実施形態において、表示パネル２００は第１基板２１０、第２基板２２０および第１基板２１０と第２基板２２０との間に配置される液晶層（図示せず）を含む液晶表示パネルからなる。
【００４０】
光学シート３００は表示パネル２００の下側に配置される。すなわち、光学シートは下部保護部材１００Ｌと表示パネル２００との間に配置される。光学シート３００は表示パネル２００に対して実質的に平行になるようにガイド部材４００と下部保護部材１００Ｌの側壁部１００Ｌ−Ｗとによって支えられる。
【００４１】
図示されていないが、光学シート３００は例えばプリズムシートを含む。プリズムシートは入射光を上側に配置された表示パネル２００の平面に対して垂直方向（例えば第３方向ＤＺ）に集光するように構成されてもよい。また、光学シート３００は入射光を拡散させる拡散シート（図示せず）をさらに含むように構成されてもよい。拡散シートはプリズムシートの下側に配置される。すなわち、プリズムシートは拡散シートと表示パネル２００との間に配置されてもよい。
【００４２】
実施例において、ガイド部材４００は光源５００を固定する。光源５００とガイド部材４００とは第１方向ＤＸに延びるように構成される。
【００４３】
ガイド部材４００は底部１００Ｌ−Ｂの平面部１００Ｌ−Ｂ１の上に配置される。ガイド部材４００はボディ部４１０、第１ガイド部４２０、第２ガイド部４３０を含む。一方、第２ガイド部４３０は実施例において省略されてもよい。ガイド部材４００は例えばプラスチック樹脂からなり（又はこれを含み）、射出成形、圧縮成形、圧出成形などによって製造されてもよい。ただし、他の適切な物質及び／又は成形技術を用いてもよい。
【００４４】
ボディ部４１０は、底部１００Ｌ−Ｂの四つの辺のうち平面部１００Ｌ−Ｂ１に対応する辺から屈曲する側壁部１００Ｌ−Ｗの一部に隣接して配置される。例えば、ボディ部４１０は第３方向ＤＺに屈曲し、第１方向ＤＸに延長する側壁部１００Ｌ−Ｗの一部に隣接して配置される。側壁部１００Ｌ−Ｗは第２方向ＤＹに延長する表示装置の二つの「長い「縁の間に配置される。光源５００はボディ部４１０の上に付着される。
【００４５】
第１ガイド部４２０および第２ガイド部４３０は、ボディ部４１０に各々連結され、第３方向ＤＺに互いに離隔して配置される。第１ガイド部４２０は光学部材６００の一部を支える第１面４２２を具備し、第２ガイド部４３０は第３方向ＤＺから第１面４２２と向い合う第２面４３２を具備する。第２面４３２は平面部１００Ｌ−Ｂ１に対して実質的に平行である。
【００４６】
第１面４２２はボディ部４１０に対して斜めに構成される。すなわち、第１面４２２と表示パネル２００との間の間隔は第２方向ＤＹに行くほど増加する。第１面４２２は凹んでいてもよい。
【００４７】
光源５００は回路基板５１０とその回路基板５１０に配置（例えば実装され、又は形成されるなど）される複数の発光素子５２０とを含む。回路基板５１０は第１方向ＤＸに延長されて構成されてもよい。回路基板５１０は少なくとも一つの絶縁層（図示せず）と少なくとも一つの回路層（図示せず）とを含む。
【００４８】
複数の発光素子５２０はそれぞれ発光ダイオードであってもよい。発光ダイオードは回路基板５１０に具備された回路層からディミング信号および駆動電圧を供給されるように構成される。複数の発光素子５２０は例えば第１方向ＤＸに一定の間隔ごとに離隔されて連続的に配置される。ただし、発光素子５２０は、例えば不均一な間隔をおいて配置されるなど他の適切な配置がなされてもよい。一方、本発明の他の実施形態において発光ダイオードは１つ又は複数の冷陰極管（ＣＣＦＬ）に代替されてもよい。
【００４９】
図２および図３に図示したように、光学部材６００は光源から発せられる光をガイドする。このようにして光学部材６００は導光体のように用いられる。光学部材６００は伝達される光を第２方向ＤＹと第３方向ＤＺとにガイドするように構成される。
【００５０】
光学部材６００の一部は、下部保護部材１００Ｌの傾斜部１００Ｌ−Ｂ２の一部のように、第１ガイド部４２０によって支えられ、他の一部は底部１００Ｌ−Ｂによって支えられてもよい。光学部材６００は第２方向ＤＹに向かって鏡面反射領域ＭＲ、境界領域ＢＲ、拡散反射領域ＤＲに区分されてもよい。
【００５１】
鏡面反射領域ＭＲは光源５００に隣接して配置され、第１ガイド部４２０によって支えられる。鏡面反射領域ＭＲの光学部材６００は鏡面反射物質を含む。例えば、鏡面反射物質は金（Ａｇ）、アルミニウム（Ａｌ）または銀（Ａｇ）のような金属を含む。
【００５２】
実施例において、鏡面反射領域ＭＲと表示パネル２００との間の間隔は第１反射面４２２のように第２方向ＤＹの方に行くほど増加する。鏡面反射領域ＭＲは入射光を鏡面反射させ、その入射光を第２方向ＤＹに送る。
【００５３】
拡散反射領域ＤＲは入射光を拡散反射させて第３方向ＤＺにガイドする。入射光は光源５００から直接供給されてもよく、ガイド部材４００または光学シート３００などから反射されて供給されてもよい。拡散反射領域ＤＲの光学部材６００は拡散反射物質を含む。例えば、拡散反射物質は白色の染料または顔料を含む高分子物質からなる。
【００５４】
実施例において、「鏡面反射領域ＭＲは入射光を鏡面反射する」とは、鏡面反射領域ＭＲは拡散反射に比べて鏡面反射の比率がより高いことを意味し、上述した「拡散反射領域ＤＲは入射光を拡散反射する」とは、拡散反射領域ＤＲは鏡面反射に比べて拡散反射の比率がより高いことを意味する。即ち、鏡面反射領域ＭＲでは拡散反射よりも鏡面反射の方がより多く発生し、拡散反射領域ＤＲでは鏡面反射よりも拡散反射の方がより多くが発生する。
【００５５】
境界領域ＢＲは鏡面反射領域ＭＲと拡散反射領域ＤＲとの間に配置される。境界領域ＢＲは底部１００Ｌ−Ｂの平面部１００Ｌ−Ｂ１と傾斜部１００Ｌ−Ｂ２との境界部に重なる。光学部材６００は境界領域ＢＲで屈曲する。
【００５６】
境界領域ＢＲに複数の鏡面反射パターンＭＰおよび複数の拡散反射パターンＤＰが配置される。複数の鏡面反射パターンＭＰは入射光を鏡面反射させ、複数の拡散反射パターンＤＰは入射光を拡散反射させる。
【００５７】
複数の鏡面反射パターンＭＰの幅Ｗ１は第２方向ＤＹの方に行くほど減少する。逆に、複数の拡散反射パターンＤＰの幅Ｗ２は第２方向ＤＹの方に行くほど増加する。それによって、境界領域ＢＲから第２方向ＤＹの方に行くほど拡散反射される光量が増加し、鏡面反射される光量は減少する。
【００５８】
図３に示すように、複数の鏡面反射パターンＭＰと複数の拡散反射パターンＤＰとは互いに噛み合う鋸形または二等辺三角形からなる。一方、複数の鏡面反射パターンＭＰと複数の拡散反射パターンＤＰとの形状は以下で図７Ａから図７Ｆを参照して説明するように変更されてもよい。
【００５９】
複数の鏡面反射パターンＭＰと複数の拡散反射パターンＤＰとは第１方向ＤＸに沿って交互に配置される。そのため、境界領域ＢＲの第１地点と第１地点から第１方向ＤＸに離隔される第２地点との間で鏡面反射される光量と拡散反射される光量との比率はほぼ同じである。
【００６０】
図４は実施例において光学部材によって表示パネルに供給される光の輝度を示したグラフである。第１グラフＧＲ１は拡散反射物質だけで構成される光学部材を具備する表示装置の輝度を示し、第２グラフＧＲ２は鏡面反射物質だけで構成される光学部材を具備する表示装置の輝度を示し、第３グラフＧＲ３は図１から図３を参照して説明した表示装置の輝度を示す。
【００６１】
第１グラフＧＲ１では、第２方向ＤＹの方に行くほど光の輝度が減少する。光源５００から出射した光は拡散反射物質だけで構成される光学部材に入射した後、そのほとんどが表示パネル２００（図１参照）の方に出射するためである。光源から出射した光量に比べて第２方向ＤＹにガイドされる光量が極めて少ない。
【００６２】
第２グラフＧＲ２では、第２方向ＤＹの方に行くほど光の輝度が増加する。しかし、光源５００に隣接した領域から表示パネル２００に伝達される光量が極めて少ない。鏡面反射物質だけで構成される光学部材に入射した光は表示パネル２００の方に出射せず、第２方向ＤＹだけにガイドされるためである。結果的に第１グラフＧＲ１および第２グラフＧＲ２を示す表示装置は領域によって輝度が不均一な映像を形成する。
【００６３】
第３グラフＧＲ３は第２グラフＧＲ２よりも境界領域ＢＲからの輝度が高い。境界領域ＢＲに配置された拡散反射パターンＤＰ（図３参照）から表示パネル２００に光が入射するためである。また、境界領域ＢＲに配置される鏡面反射パターンＭＰから第２方向ＤＹに光がガイドされるため、拡散反射領域ＤＲで第３グラフＧＲ３の輝度は第１グラフＧＲ１の輝度と類似する。このように、本実施形態にかかる表示装置によれば、第１グラフＧＲ１および第２グラフＧＲ２を示す表示装置よりも均一な輝度の映像が得られる。
【００６４】
図５Ａおよび図５Ｂは図３に示す本発明の一実施形態にかかる表示装置における光学部材の断面図である。図５Ａおよび図５Ｂはそれぞれ図３のI−I’線およびII−II’線から見た断面図である。以下、図５Ａおよび図５Ｂを参照して図３に示す光学部材についてさらに詳しく説明する。
【００６５】
光学部材６００はベース部材６１０、鏡面反射部材６２０および拡散反射部材６３０を含む。ベース部材６１０は鏡面反射領域ＭＲ、境界領域ＢＲおよび拡散反射領域ＤＲに配置される。
【００６６】
ベース部材６１０は可撓性シートであってもよい。ベース部材６１０はプラスチック樹脂（プラスチック樹脂の種類は制限されない）又は他の適切な材質からなるものでもよい。
【００６７】
鏡面反射部材６２０は鏡面反射物質を含む。鏡面反射部材６２０は一部がベース部材６１０の鏡面反射領域ＭＲの上に配置され、他の部分はベース部材６１０の境界領域ＢＲの上に配置されて複数の鏡面反射パターンＭＰをなす。鏡面反射部材６２０はベース部材６１０の一面にコーティングされる金属層またはベース部材６１０の一面に接着される金属シートからなるものでもよい。ただし、ベース部材６１０の上に鏡面反射部材６２０を形成するために他の適切な技術が用いられてもよい。
【００６８】
拡散反射部材６３０は反射物質を含む。拡散反射部材６３０は一部がベース部材６１０の拡散反射領域ＤＲの上に配置され、他の部分はベース部材６１０の境界領域ＢＲの上に配置されて複数の拡散反射パターンＤＰが形成される。拡散反射部材６３０はベース部材６１０の一面にコーティングされる有色層またはベース部材６１０の一面に接着される有色シートからなるものでもよい。ただし、ベース部材６１０の上に拡散反射部材６３０を形成するためにその他の適切な技術を用いてもよい。
【００６９】
図６Ａおよび図６Ｂは本発明の一実施形態にかかる表示装置における光学部材の断面図である。図３及び図５Ａから図５Ｂを参照して説明した技術的な構成と同じ構成については詳しい説明を省略する。
【００７０】
光学部材６００−１はベース部材６１２および鏡面反射部材６２０を含む。ベース部材６１２は有色の可撓性シートからなるものでもよい。ベース部材６１２を製造する過程でプラスチック樹脂に白色の染料または顔料が添加される。
【００７１】
鏡面反射部材６２０の一部はベース部材６１２の鏡面反射領域ＭＲの上に配置され、他の部分はベース部材６１２の境界領域ＢＲの上に配置され、複数の鏡面反射パターンＭＰを形成する。
【００７２】
境界領域ＢＲで露出されるベース部材６１２の一部は複数の拡散反射パターンＤＰをなす。
【００７３】
一方、図６Ａおよび図６Ｂに示すものと逆に、実施例におけるベース部材６１２は金属シートからなるものでもよく、金属シートの拡散反射領域ＤＲの上に拡散反射部材が配置されてもよい。また、拡散反射部材の一部は金属シートの境界領域ＢＲの上に配置されて拡散反射パターンをなす。このとき、境界領域ＢＲで露出される金属シートの一部は鏡面反射パターンをなす。
【００７４】
図７Ａから図７Ｆは本発明の一実施形態にかかる表示装置における光学部材の平面図である。図３を参照して説明した技術的な構成と同じ構成については詳しい説明を省略する。また、図７Ａから図７Ｆに示した光学部材６００−２から６００−７の構成は図５Ａおよび図５Ｂを参照して説明した光学部材６００または図６Ａおよび図６Ｂを参照して説明した光学部材６００−１とほとんど同じである。
【００７５】
図７Ａに示した光学部材６００−２のように、複数の鏡面反射パターンＭＰは頂点部が切断された鋸形である。このとき、複数の拡散反射パターンＤＰは三角形をなす。複数の拡散反射パターンＤＰは複数の鏡面反射パターンＭＰと噛み合う。
【００７６】
図７Ｂに示した光学部材６００−３のように、複数の鏡面反射パターンＭＰは第１の最大厚さを有し、曲がった（又は弓形の）鋸形をなす。このとき、複数の拡散反射パターンＤＰも曲がった（又は弓形の）鋸形をなし、第２の最大厚さを有してもよい。ただし、鏡面反射パターンＭＰ及び拡散反射パターンＤＰは同じ厚さであってもよい。複数の拡散反射パターンＤＰと複数の鏡面反射パターンＭＰとが噛み合えば、どのような形状であってもよい。
【００７７】
図７Ｃに示した光学部材６００−４のように、複数の鏡面反射パターンＭＰは頂点部が切断された、曲がった鋸形をなす。このとき、複数の拡散反射パターンＤＰは曲がった鋸形をなす。鏡面反射パターンＭＰの最大厚さは、拡散反射パターンＤＰの最大厚さより大きくてもよいが、前述のとおり拡散反射パターンＤＰは鏡面反射パターンＭＰと噛み合う。
【００７８】
図７Ｄに示した光学部材６００−５のように、複数の鏡面反射パターンＭＰは短軸方向に切断された楕円形状（又はスペード形）をなす。このとき、複数の拡散反射パターンＤＰは鏡面反射パターンＭＰと噛み合う形状をなす。ここで鏡面反射パターンＭＰの最大厚さは拡散反射パターンＤＰの最大厚さより大きくてもよい。
【００７９】
図７Ｅに示した光学部材６００−６は、図７Ｄに示した拡散反射パターンＤＰとそれぞれ同じ形状を有する複数の鏡面反射パターンＭＰと、図７Ｄに示した鏡面反射パターンＭＰとそれぞれ同じ形状を有する複数の拡散反射パターンＤＰとを有する。すなわち、図７Ｅに示した光学部材６００−６は、図７Ｄに示した光学部材６００−５の鏡面反射パターンＭＰと拡散反射パターンＤＰとの形状を入れ替えた複数の鏡面反射パターンＭＰと複数の拡散反射パターンＤＰとを具備する。そして、鏡面反射パターンＭＰの最大厚さは、拡散反射パターンＤＰの最大厚さより小さくてもよい。
【００８０】
図７Ｆに示した光学部材６００−７は、図３に示した光学部材６００の鏡面反射パターンＭＰより長い（例えば第２方向ＤＹに延長された）鋸形の鏡面反射パターンＭＰを具備する。境界領域ＢＲの第２方向ＤＹにおける幅は鏡面反射パターンＭＰの長さに応じて増加してもよい。複数の拡散反射パターンＤＰも鏡面反射パターンＭＰと同じ長さの鋸形をなす。拡散反射パターンＤＰは鏡面反射パターンＭＰと噛み合う。
【００８１】
図８Ａは本発明の一実施形態にかかる表示装置における光学部材の分解斜視図であり、図８Ｂは本発明の一実施形態にかかる表示装置における光学部材の側面図である。
【００８２】
図８Ａおよび図８Ｂに示したように、光学部材６００−８は鏡面反射部材６４０と拡散反射部材６５０とを含む。鏡面反射部材６４０は金（Ａｇ）、アルミニウム（Ａｌ）または銀（Ａｇ）のような鏡面反射物質を含むシートであり、拡散反射部材６５０は染料または顔料を含むプラスチック樹脂のような拡散反射物質を含むシートからなる。
【００８３】
拡散反射部材６５０は境界領域ＢＲおよび拡散反射領域ＤＲに配置される。鏡面反射部材６４０は一部が鏡面反射領域ＭＲに配置され、他の部分は境界領域ＢＲの拡散反射部材６５０に重なるように配置される。境界領域ＢＲで鏡面反射部材６４０の他の部分と拡散反射部材６５０の一部は接着剤（図示せず）によって付着されてもよい。
【００８４】
拡散反射部材６５０上に配置された鏡面反射部材６４０の他の部分は複数の鏡面反射パターンＭＰを含んでもよい。複数の鏡面反射パターンＭＰは図８Ａに示したように鋸形をなすものでもよい。ただし、複数の鏡面反射パターンＭＰの形状はこれに限定されず、図７Ａから図７Ｆに示したように他の様々な形状に変形されてもよい。境界領域ＢＲで露出される拡散反射部材６５０の一部は複数の拡散反射パターン（図示せず）をなす。
【００８５】
図９Ａから図９Ｄは拡散反射部材の他の実施形態にかかる表示装置の平面図である。図９Ａから図９Ｄに示したように、拡散反射部材６５０−１から６５０−４はサブ反射パターンＳＭＰ１からＳＭＰ４を具備する。サブ反射パターンＳＭＰ１からＳＭＰ４は入射光を第２方向ＤＹにガイドする。図９Ａから図９Ｄに示した拡散反射部材６５０−１から６５０−４を具備する光学部材の鏡面反射領域ＭＲの幅（第２方向ＤＹの幅）は、図８Ａおよび図８Ｂに示した光学部材６００−８より小さい。
【００８６】
サブ反射パターンＳＭＰ１からＳＭＰ４は、拡散反射部材６５０−１から６５０−４より鏡面反射率の高い物質から構成される。サブ反射パターンＳＭＰ１からＳＭＰ４は、例えばアルミニウム（Ａｌ）、金（Ａｕ）、銀（Ａｇ）などのような金属物質を含んでもよい。
【００８７】
図９Ａに示すように、サブ反射パターンＳＭＰ１は第２方向ＤＹに延長される二等辺三角形状をなしてもよい。図９Ｂに示したように、サブ反射パターンＳＭＰ２は第２方向ＤＹに延長するストライプ形状をなしてもよい。図９Ｃに示したように、サブ反射パターンＳＭＰ３は第２方向ＤＹに延長する曲線形状をなしてもよい。この場合、様々なサブ反射パターンＳＭＰ３の曲げ半径は、第１方向に行くにつれて増加してもよい。すなわち、様々なサブ反射パターンＳＭＰ３の形状は同心円の一部を規定するものでもよい。図９Ｃに示した形状とは異なり、サブ反射パターンＳＭＰ３は同じ形状で構成されてもよい。図９Ｄに示したように、サブ反射パターンＳＭＰ４の一部は３次元の曲線形状であってもよい。サブ反射パターンＳＭＰ４の形状は均一でなくてもよい。
【００８８】
図１０Ａは本発明の一実施形態にかかる表示装置における光学部材の分解斜視図であり、図１０Ｂは本発明の一実施形態にかかる表示装置における光学部材の側面図である。以下、図８Ａおよび図８Ｂを参照して説明した光学部材と同じ技術的な構成については詳しい説明を省略する。
【００８９】
図１０Ａおよび図１０Ｂに示したように、鏡面反射部材６４０は鏡面反射領域ＭＲおよび境界領域ＢＲに配置される。拡散反射部材６５０は一部が拡散反射領域ＤＲに配置され、他の部分は境界領域ＢＲの鏡面反射部材ＭＲに重なるように配置される。
【００９０】
鏡面反射部材６４０の上に配置される拡散反射部材６５０の他の部分は複数の拡散反射パターンＤＰをなす。複数の拡散反射パターンＤＰは図１０Ａに示したように鋸形をなす。ただし、図７Ａから図７Ｆを参照して上述したような他の適切な形状が用いられてもよい。この場合、複数の拡散反射パターンＤＰの第１方向ＤＸにおける幅は第２方向ＤＹに行くほど増加する。境界領域ＢＲで露出される鏡面反射部材６４０の一部は複数の鏡面反射パターン（図示せず）をなす。一方、図１０Ａおよび図１０Ｂに示した拡散反射部材６５０も、図９Ａから図９Ｂに示したサブ反射パターンをさらに含んでもよい。
【００９１】
図１１は本発明の一実施形態にかかる表示装置の一部を示した斜視図であり、図１２は図１１に示した表示装置の一部の側面図である。以下、図１から図３を参照して説明した技術的な構成と同じ構成については詳しい説明を省略する。
【００９２】
図１１および図１２に示したように、ガイド部材４００Ｍは光源５００を固定する。ガイド部材４００Ｍはボディ部４１０、第１ガイド部４２０、第２ガイド部４３０を含む。
【００９３】
本実施形態において、ガイド部材４００Ｍは図１および図２に示したガイド部材４００とは異なり、光源５００から光を直接受領する。ガイド部材４００Ｍは受領した光を鏡面反射させて、第２方向ＤＹにガイドする。本実施形態において、ガイド部材４００Ｍは鏡面反射ガイド部材であり、第１ガイド部４２０および第２ガイド部４３０は第１反射部４２０および第２反射部４３０である。本実施形態において第２反射部４３０は省略されてもよい。
【００９４】
第１反射部４２０は第１反射面４２２を具備し、第２反射部４３０は第３方向ＤＺにおいて第１反射面４２２と向い合う第２反射面４３２を具備する。入射光を鏡面反射させるために、第１反射部４２０および第２反射部４３０は、例えばアルミニウム（Ａｌ）、金（Ａｕ）、銀（Ａｇ）等の鏡面反射物質を含む。
【００９５】
第１反射部４２０および第２反射部４３０は一面の上に配置された銀（Ａｇ）のような金属層を含んでもよい。すなわち、実質的に金属層が第１反射面４２２および第２反射面４３２を形成してもよい。
【００９６】
第１反射部４２０は一部が切開される切開パターンＣＭＰを含む。ただし、切開パターンＣＭＰは製造過程において形成されてもよい。切開パターンＣＭＰは図３に示した鏡面反射パターンに対応する。切開パターンＣＭＰの幅は第２方向ＤＹに行くほど減少する。切開パターンＣＭＰの形状は、例えば図７Ａから図７Ｆを参照して上述した形状などに変更されてもよい。
【００９７】
第１反射部４２０の一部が切開パターンＣＭＰに対応することを除けば、境界領域ＢＲの第２方向ＤＹの幅は切開パターンＣＭＰの第２方向ＤＹの長さによって決められ、鏡面反射領域ＭＲの第２方向ＤＹの幅は切開パターンＣＭＰを除いた第１反射部４２０の第２方向ＤＹの長さによって決められる。
【００９８】
本実施形態において光学部材６００Ｄは図１から図３に示した光学部材６００とは異なり、鏡面反射パターンＭＰを含まない。光学部材６００Ｄは光源５００から受領する光を拡散反射させる。本実施形態において光学部材６００Ｄは拡散反射部材である。
【００９９】
拡散反射部材６００Ｄのうちの一部は第１反射部４２０に重なる。第１反射部４２０の切開パターンＣＭＰは境界領域ＢＲで拡散反射部材６００Ｄの上に配置される。境界領域ＢＲで露出された拡散反射部材６００Ｄの一部は拡散反射パターンＤＰをなす。
【０１００】
図１２に示したように、第１反射面４２２と第２反射面４３２で反射される光の直進性の向上のために、第１反射面４２２と第２反射面４３２とは第３方向ＤＺに沿って切断された面であって、楕円ＥＬＳをなす。光源５００は楕円ＥＬＳの長軸線上に配置される。長軸線は楕円ＥＬＳの焦点ＸＰ１、ＸＰ２を連結した線である。このとき、第１反射面４２２と第２反射面４３２とによって反射された光は表示パネル２００に対して実質的に平行に第２方向ＤＹに反射される。
【０１０１】
図１３は本発明の一実施形態にかかる表示装置の一部を示した斜視図である。以下、図１１および図１２を参照して説明した技術的な構成と同じ構成については詳しい説明を省略する。
【０１０２】
図１３に示したように、鏡面反射ガイド部材４００Ｍは光源５００を固定する。鏡面反射ガイド部材４００Ｍはボディ部４１０、第１反射部４２０、第２反射部４３０を含む。図示されていないが、第１反射部４２０は第１反射面４２２を具備し、第２反射部４３０は第３方向ＤＺにおいて第１反射面４２２と向い合う第２反射面４３２を具備する。
【０１０３】
拡散反射部材６００Ｄは一部が切開される切開パターンＣＤＰを含む。ただし、切開パターンＣＤＰは製造過程で形成されてもよい。切開パターンＣＤＰは図３に示した拡散反射パターンに対応する。切開パターンＣＤＰの幅は第２方向ＤＹに行くほど増加する。
【０１０４】
拡散反射部材６００Ｄのうちの一部は第１反射部４２０に重なる。拡散反射部材６００Ｄの切開パターンＣＤＰは境界領域ＢＲにおいて第１反射部４２０の上に配置される。境界領域ＢＲにおいて露出された第１反射部４２０の一部は図３に示した鏡面反射パターンＭＰに対応する。
【０１０５】
図１４は本発明の一実施形態にかかる表示装置の一部を示した斜視図であり、図１５は本発明の一実施形態にかかる鏡面反射ガイド部材の一部に対応する断面図である。図１５は図１４に示した第１反射部４２０の第１方向ＤＸから見た切断面を示した。以下、図１１から図１３を参照して説明した技術的な構成と同じ構成については詳しい説明を省略する。
【０１０６】
図１４および図１５に示したように、鏡面反射ガイド部材４００Ｍは光源５００を固定する。鏡面反射ガイド部材４００Ｍはボディ部４１０、第１反射部４２０、第２反射部４３０を含む。
【０１０７】
鏡面反射ガイド部材４００Ｍは第１反射部４２０および第２反射部４３０に配置される複数のガイドパターンＧＰを含む。複数のガイドパターンＧＰは第１反射部４２０に配置される第１ガイドパターンＧＰ１と第２反射部４３０に配置される第２ガイドパターンＧＰ２を含む。第１ガイドパターンＧＰ１または第２ガイドパターンＧＰ２は省略されてもよい。
【０１０８】
複数のガイドパターンＧＰは第２方向ＤＹに延長され、第１方向ＤＸに配列される。図１４および図１５に示したように、複数の第１ガイドパターンＧＰ１は第１反射面４２２（図１１参照）に配置されるプリズムパターンからなる。プリズムパターンは第１反射面４２２にプリズムシートを接着して構成されてもよい。追加的に又は代替的に、プリズムパターンは第１反射面４２２の上に配置され又は形成されてもよい。
【０１０９】
第１反射部４２０の一部は拡散反射部材６００Ｄの一部に重なる。図１４に示したように、第１反射部４２０の一部は拡散反射部材６００Ｄの一部の上に配置される。ここで、境界領域ＢＲは第１反射部４２０の一部と拡散反射部材６００Ｄの一部とが重なる領域である。
【０１１０】
図示されていないが、境界領域ＢＲに切開パターンＣＭＰ、ＣＤＰ（図１１および図１３参照）が配置されてもよい。また、第２ガイドパターンＧＰ２は第１ガイドパターンＧＰ１と同じ形状を有してもよい。また、第１ガイドパターンＧＰ１のプリズム形状は変形されてもよい。
【０１１１】
図１６および図１７は本発明の一実施形態にかかる表示装置における鏡面反射ガイド部材によってガイドされる光の経路を示した図である。図１６は第１方向ＤＸと第２方向ＤＹとがなす面から見た光の経路を示し、図１７は第２方向ＤＹと第３方向ＤＺとがなす面から見た光の経路を示した。図１７においてガイドパターンＧＰは省略されている。
【０１１２】
図１６および図１７に示した第１経路ＬＰ１０は、発光素子５２０から生じた光がガイドパターンＧＰに入射した場合の光経路を示し、第２経路ＬＰ２０は、発光素子５２０から生じた光がガイドパターンＧＰに入射しない場合の光経路を示す。
【０１１３】
複数のガイドパターンＧＰは透明である。複数のガイドパターンＧＰは透明なプラスチック樹脂からなるものでもよい。複数のガイドパターンＧＰに入射する光はガイドパターンＧＰの内部に沿って伝達される。ガイドパターンＧＰの内部に沿って伝達される光の一部はガイドパターンＧＰの外に出射する。
【０１１４】
ガイドパターンＧＰの内部を経て外に出射する光は、第２経路ＬＰ２０を経由する光よりさらに第２方向ＤＹに移送される。結果的に第１経路ＬＰ１０は第２経路ＬＰ２０より直進性が高い。したがって、複数のガイドパターンＧＰを具備する鏡面反射ガイド部材４００Ｍは複数のガイドパターンＧＰを具備しない鏡面反射ガイド部材より効率良く第２方向ＤＹに光を伝達する。
【０１１５】
図１８はガイドパターンが具備されていない鏡面反射ガイド部材により反射された光を示した図である。図１９は第１反射部にガイドパターンが具備された鏡面反射ガイド部材によって反射された光を示した図である。図２０は第２反射部にガイドパターンが具備された鏡面反射ガイド部材によって反射された光を示した図である。図２１は第１反射部および第２反射部にガイドパターンが具備された鏡面反射ガイド部材によって反射された光を示した図である。図１８から図２１は一つの発光素子から生成された光の経路を示す。
【０１１６】
図１９から図２１に示したように、ガイドパターンを含む鏡面反射ガイド部材から反射された光は図１８に示した光より直進性が向上している。図２１に示したように、第１ガイドパターンＧＰ１（図１４参照）および第２ガイドパターンＧＰ２（図１４参照）を具備した鏡面反射ガイド部材４００Ｍによって反射された光の直進性が最も優れている。
【０１１７】
図２２は鏡面反射ガイド部材によって表示パネルに供給される光の輝度を示したグラフである。第４グラフＧＲ４はガイドパターンが構成されていない光学部材を具備した表示装置の輝度を示し、第５グラフＧＲ５は第１ガイドパターンＧＰ１（図１４参照）および第２ガイドパターンＧＰ２（図１４参照）を具備した鏡面反射ガイド部材４００Ｍを含む表示装置の輝度を示す。
【０１１８】
第５グラフＧＲ５の境界領域ＢＲおよび境界領域ＢＲに隣接した部分の輝度は第４グラフＧＲ４の対応する領域の輝度より高い。これは第１ガイドパターンＧＰ１（図１４参照）に入射した光のうちの一部が第１ガイドパターンＧＰ１の内部に沿って移動する途中で第３方向ＤＺに出射するためである。
【０１１９】
即ち、第１ガイドパターンＧＰ１から表示パネル２００に供給される光量が、第４グラフＧＲ４にかかる表示装置より増加するためである。それによって、本実施形態にかかる表示装置は第４グラフＧＲ４にかかる表示装置より均一な輝度の映像を表示できる。
【０１２０】
図２３Ａおよび図２３Ｂは他の実施形態にかかる鏡面反射ガイド部材の一部に対応する断面図である。図２３Ａおよび図２３Ｂは図１５に対応する切断面を示した。
【０１２１】
図２３Ａに示したように、複数の第１ガイドパターンＧＰ１０はレンチキュラー（ｌｅｎｔｉｃｕｌａｒ）パターンからなる。レンチキュラーパターンは第１反射面４２２に配置される。レンチキュラーパターンは実質的に透明である。レンチキュラーパターンは第１反射面４２２にレンチキュラーシートを接着して構成されてもよい。ただし、レンチキュラーパターンは製造過程において第１反射部４２０に形成されてもよい。
【０１２２】
図２３Ｂに示したように、複数の第１ガイドパターンＧＰ１００は第１反射部４２０の一部が除去されて形成されてもよい。それによって、第１反射面４２２が凸凹に構成される。
【０１２３】
図２４は本発明の一実施形態にかかる表示装置の一部を示した断面図である。図２４は図２に示した断面の一部を示した図である。図２４に示したように、ガイド部材４００Ｍはボディ部４１０と第１反射部４２０とを含む。即ち、第２反射部４３０は省略される。
【０１２４】
中間保護部材１００Ｍの一部が第３方向ＤＺにおいて第１反射部４１０と離隔されて配置されて光源５００をカバーする。中間保護部材１００Ｍの一部は反射面１００Ｍ−ＭＳをなす。中間保護部材１００Ｍの反射面１００Ｍ−ＭＳは図１７に示した第２反射面４３２をなす。中間保護部材１００Ｍの一部は反射面１００Ｍ−ＭＳの上に第２ガイドパターンＧＰ２が配置されてもよい。
【０１２５】
以上、実施形態を参照して説明したが、当該技術分野に詳しい当業者または技術者は本発明の特許請求の範囲の技術的思想および領域から外れない範囲内で本発明を様々に変更することができる。
【符号の説明】
【０１２６】
１００Ｕ、１００Ｍ、１００Ｌ・・・保護部材
２００・・・表示パネル
２１０・・・第１基板
２２０・・・第２基板
３００・・・光学シート
４１０・・・ボディ部
４２０・・・第１ガイド部
４３０・・・第２ガイド部
５００・・・光源
５１０・・・回路基板
５２０・・・発光素子
６００・・・光学部材
【図１】
2014106526.tif 000003
【図２】
2014106526.tif 000004
【図３】
2014106526.tif 000005
【図４】
2014106526.tif 000006
【図５Ａ】
2014106526.tif 000007
【図５Ｂ】
2014106526.tif 000008
【図６Ａ】
2014106526.tif 000009
【図６Ｂ】
2014106526.tif 000010
【図７Ａ】
2014106526.tif 000011
【図７Ｂ】
2014106526.tif 000012
【図７Ｃ】
2014106526.tif 000013
【図７Ｄ】
2014106526.tif 000014
【図７Ｅ】
2014106526.tif 000015
【図７Ｆ】
2014106526.tif 000016
【図８Ａ】
2014106526.tif 000017
【図８Ｂ】
2014106526.tif 000018
【図９Ａ】
2014106526.tif 000019
【図９Ｂ】
2014106526.tif 000020
【図９Ｃ】
2014106526.tif 000021
【図９Ｄ】
2014106526.tif 000022
【図１０Ａ】
2014106526.tif 000023
【図１０Ｂ】
2014106526.tif 000024
【図１１】
2014106526.tif 000025
【図１２】
2014106526.tif 000026
【図１３】
2014106526.tif 000027
【図１４】
2014106526.tif 000028
【図１５】
2014106526.tif 000029
【図１６】
2014106526.tif 000030
【図１７】
2014106526.tif 000031
【図２２】
2014106526.tif 000032
【図２３Ａ】
2014106526.tif 000033
【図２３Ｂ】
2014106526.tif 000034
【図２４】
2014106526.tif 000035
【図１８】
2014106526.tif 000036
【図１９】
2014106526.tif 000037
【図２０】
2014106526.tif 000038
【図２１】
2014106526.tif 000039